(57)【要約】【課題】画像読取り条件を視覚的に確認できるように記憶する画像読取装置を得る。【解決手段】ホストコンピュータ２は、画像読取部１に各読取り条件の設定情報、登録名および保存指示を送信する。画像読取り装置１のＣＰＵ１１は、ホストコンピュータ２から受信した設定情報に対応して読取り条件を初期値から変更し、受信した登録名でメモリ１２に記憶する。ＣＰＵ１１はさらに、メモリ１２に記憶されている画像処理前のプレビュー画像信号に対し、読取り条件の初期値に対応する画像処理パラメータと、初期値から変更した読取り条件に対応する画像処理パラメータとを用いて２通りの画像処理を信号処理回路１５に指示する。ＣＰＵ１１は、初期値によって画像処理された画像「ＢＥＦＯＲＥ」と、上記変更後の値によって画像処理された画像「ＡＦＴＥＲ」とを、上記登録名で記憶した読取り条件に関連づけてメモリ１２に記憶する。【選択図】図１
2004032168.tif 000002
【特許請求の範囲】
【請求項１】
読取原稿を撮像して撮像信号を出力する撮像素子と、
画像処理パラメータを用いて前記撮像信号に対して画像処理を行う画像処理回路と、
前記画像処理後の画像信号を出力する画像信号出力回路と、
前記画像処理パラメータの変更指示を入力する変更指示入力回路と、
あらかじめ定められた画像処理パラメータの初期値を記憶するとともに、前記変更指示によって前記初期値と異なる値に変更された画像処理パラメータの変更履歴を記憶する記憶回路と、
前記画像処理パラメータの選択指示を入力する選択指示入力回路と、
前記選択指示によって前記記憶回路に記憶されている画像処理パラメータから選択された値を用いるように前記画像処理回路を制御する制御回路とを備えることを特徴とする画像読取装置。
【請求項２】
請求項１に記載の画像読取装置において、
前記制御回路は、前記初期値と異なる値の画像処理パラメータを用いて画像処理した第１の画像を作成するように前記画像処理回路を制御するとともに、前記作成された第１の画像を、当該第１の画像の作成に用いた画像処理パラメータの値に関連づけて記憶するように前記記憶回路を制御することを特徴とする画像読取装置。
【請求項３】
請求項２に記載の画像読取装置において、
前記制御回路は、前記画像処理パラメータの初期値を用いて画像処理した第２の画像を作成するように前記画像処理回路を制御するとともに、前記作成された第２の画像を、前記第１の画像の作成に用いた画像処理パラメータの値に関連づけてさらに記憶するように前記記憶回路を制御することを特徴とする画像読取装置。
【請求項４】
請求項３に記載の画像読取装置において、
前記制御回路は、前記選択指示入力回路に前記選択指示が入力されるとき、選択された値に関連づけられている前記第１の画像および前記第２の画像を前記記憶回路からそれぞれ読出すとともに、前記読出された両画像の信号を出力するように前記画像信号出力回路をさらに制御することを特徴とする画像読取装置。
【請求項５】
請求項１〜４のいずれかに記載の画像読取装置において、
前記画像処理パラメータは複数存在し、
前記記憶回路は、各画像処理パラメータの各値をグループで記憶し、
前記画像処理回路は、選択された前記グループ内の各値を用いて画像処理を行うことを特徴とする画像読取装置。
【発明の詳細な説明】
【０００１】
【発明の属する技術分野】
本発明は、画像原稿を電子データに変換する画像読取装置に関する。
【０００２】
【従来の技術】
フィルムスキャナのように、画像原稿を撮像して画像データを得る画像読取装置が知られている。画像読取装置では、原稿を読取る際にカラーバランスやコントラストなどの複数の画像処理パラメータが設定される。
【０００３】
【発明が解決しようとする課題】
一般に、画像処理パラメータは読取り原稿に応じて異なった値が設定される。同種の原稿を読取る場合には、過去に使用した画像処理パラメータの設定値を使用できると、画像処理パラメータをその都度設定する設定操作が省けて都合がよい。
【０００４】
本発明の目的は、画像処理パラメータをその都度設定しなくてよい画像読取装置を提供することにある。
【０００５】
【課題を解決するための手段】
本発明による画像読取装置は、読取原稿を撮像して撮像信号を出力する撮像素子と、画像処理パラメータを用いて撮像信号に対して画像処理を行う画像処理回路と、画像処理後の画像信号を出力する画像信号出力回路と、画像処理パラメータの変更指示を入力する変更指示入力回路と、あらかじめ定められた画像処理パラメータの初期値を記憶するとともに、変更指示によって初期値と異なる値に変更された画像処理パラメータの変更履歴を記憶する記憶回路と、画像処理パラメータの選択指示を入力する選択指示入力回路と、選択指示によって記憶回路に記憶されている画像処理パラメータから選択された値を用いるように画像処理回路を制御する制御回路とを備えることにより、上述した目的を達成する。
制御回路は、初期値と異なる値の画像処理パラメータを用いて画像処理した第１の画像を作成するように画像処理回路を制御するとともに、作成された第１の画像を、当該第１の画像の作成に用いた画像処理パラメータの値に関連づけて記憶するように記憶回路を制御することもできる。
制御回路は、画像処理パラメータの初期値を用いて画像処理した第２の画像を作成するように画像処理回路を制御するとともに、作成された第２の画像を、第１の画像の作成に用いた画像処理パラメータの値に関連づけてさらに記憶するように記憶回路を制御してよい。
制御回路は、選択指示入力回路に選択指示が入力されるとき、選択された値に関連づけられている第１の画像および第２の画像を記憶回路からそれぞれ読出すとともに、読出された両画像の信号を出力するように画像信号出力回路をさらに制御することもできる。
画像処理パラメータは複数存在し、この場合の記憶回路は各画像処理パラメータの各値をグループで記憶し、選択されたグループ内の各値を用いて画像処理を行うように画像処理回路を構成してよい。
【０００６】
【発明の実施の形態】
以下、図面を参照して本発明の実施の形態を説明する。
図１は、本発明の一実施の形態による画像読取装置を説明するブロック図である。図１において、画像読取装置は画像読取部１およびパソコンなどのホストコンピュータ２とによって構成される。画像読取装置は、ホストコンピュータ２側から操作される。ホストコンピュータ２は表示用モニター２Ａおよび操作部材２Ｂを含み、操作部材２Ｂにはキーボードおよびマウスが備えられている。
【０００７】
画像読取部１は、ＣＰＵ１１と、メモリ１２と、インターフェイス（Ｉ／Ｆ）回路１３と、照明駆動回路１４と、信号処理回路１５と、原稿走査部駆動回路１６と、モータ１７と、ラインセンサ１８と、レンズＬと、ミラーＭと、ＬＥＤ光源１９とを有する。ＣＰＵ１１は、インターフェイス回路１３を介してホストコンピュータ２との間で通信を行うとともに、照明駆動回路１４、信号処理回路１５、および原稿走査部駆動回路１６をそれぞれ制御する。メモリ１２は、ＣＰＵ１１の作業領域として使用される他、後述する原稿読取り時に設定される各種読取り条件や、画像処理中および画像処理後の画像データなどの記憶領域として使用される。
【０００８】
インターフェイス回路１３は、たとえば、ＳＣＳＩインターフェイスによって構成される。ＣＰＵ１１は、このインターフェイス回路１３を介してホストコンピュータ２から送信される指令を受ける一方、信号処理回路１５によって画像処理された画像データやメモリ１２に格納されている画像読取部１の情報などをホストコンピュータ２に送信する。
【０００９】
照明駆動回路１４は、フィルムなどの原稿を照明するＬＥＤ光源１９を発光制御する。ＬＥＤ光源１９から発せられた照明光は、フィルム原稿を透過してミラーＭに入射される。ミラーに入射された透過光は、当該ミラーＭでレンズＬに向けて反射される。反射光はレンズＬによって集光され、ラインセンサ１８に入力される。ラインセンサ１８は、フィルム原稿に水平な面内で、当該原稿の長手方向と直交するライン上に光電変換素子が複数配設されたＣＣＤなどによって構成される。ラインセンサ１８を構成する各素子は、入射された光の強さに応じてそれぞれ電荷を蓄積する。これら各素子は、不図示のＣＣＤ駆動回路によって駆動され、動作タイミングや電荷蓄積時間などが制御される。電荷蓄積時間は、ＣＰＵ１１から上記不図示のＣＣＤ駆動回路に送られる指令により決定される。ラインセンサ１８の電荷蓄積が終了すると、各素子に蓄積された蓄積電荷が画像信号として出力される。
【００１０】
信号処理回路１５は、ラインセンサ１８から出力された画像信号を増幅し、ノイズ除去、暗電流補正、偶数奇数補正などの周知のアナログ信号処理を施した上で、アナログ信号からディジタル画像信号にＡ／Ｄ変換する。信号処理回路１５はさらに、ディジタル画像信号に対してシェーディング補正、階調補正およびカラーバランス補正などの画像処理を行う。
【００１１】
原稿走査部駆動回路１６は、上記ラインセンサ１８でフィルム原稿面を撮像するために、モータ１７を駆動して原稿走査部をフィルム原稿の長手方向に走査させる。ここで、原稿走査部には、ＬＥＤ光源１９、ミラーＭ、レンズＬおよびラインセンサ１８が含まれる。原稿走査部駆動回路１６が原稿走査部を走査（副走査）させながら、ラインセンサ１８で１ラインごとの撮像を行う動作（主走査）を繰り返すことにより、ラインセンサ１８でフィルム原稿面の撮像（画像読取り）が行われる。
【００１２】
上記の画像読取装置では、原稿の読取り（スキャン）が以下の手順で行われる。
１．フィルム原稿挿入
２．読取りコマ指定
３．予備撮像（プレビュー画像読込み）
４．読取り条件設定
５．本撮像（本画像読込み）
プレビュー画像は、読取りコマを確認したり、読取り条件を設定する際の参照用に撮像される粗読み画像である。
【００１３】
読取り条件は、たとえば、以下の項目が設定される。各条件にはあらかじめ初期値が定められ、各初期値はメモリ１２にそれぞれ記憶されている。なお、プレビュー画像の読込み時は、各項目に定められた初期値が用いられる。
▲１▼フィルム原稿の読取り範囲
▲２▼読取り後の画像データを構成する画素数、すなわち、解像度
▲３▼読取り後の画像データのコントラスト
▲４▼読取り後の画像データのカラーバランス
▲５▼読取り後の画像データの階調、すなわち、トーンカーブ
【００１４】
操作者は、画像読取部１にフィルム原稿をセットすると、ホストコンピュータ２に画像読取り用プログラムを実行させる。操作者は、モニター２Ａに表示される不図示のメニューで画像読取りを行うフィルム原稿の種類を指定する。フィルム原稿の種類は、たとえば、ポジフィルム、カラーネガフィルム、モノクロネガフィルムなどである。操作者はさらに、モニター２Ａに表示される不図示のメニューからフィルム原稿の読取りコマを指定する。
【００１５】
図２は、モニター２Ａに表示される画面の例を示す図である。図２において、スキャンウィンドウ２０の中に、操作パレット２１とプレビューエリア２２とが表示される。なお、プレビューエリア２２内にプレビュー画像が表示されるのは、後述するプレビューボタンのクリック操作が行われた後である。モニター２Ａの表示画面には、スキャンウィンドウ２０の他に、設定履歴パレット３０およびツールパレット４０が表示される。設定履歴パレット３０には、読取り条件を初期値と異なる値に設定変更した場合に、その設定情報、すなわち、変更履歴が表示される。読取り条件が設定変更されない場合は、図２のように設定履歴パレット３０の中がブランク表示される。ツールパレット４０には、コントラストの設定ツール４１、カラーバランスの設定ツール４２、およびトーンカーブの設定ツール４３がそれぞれ表示される。
【００１６】
操作パレット２１には、スキャンボタン「ＳＣＡＮ」、プレビューボタン「ＰＲＥＶＩＥＷ」、自動焦点検出ボタン「ＡＦ」、ならびに自動露出演算ボタン「ＡＥ」がそれぞれ表示されている。操作者が自動焦点検出ボタン「ＡＦ」をクリック操作すると、ホストコンピュータ２から画像読取部１に焦点検出指示が送信される。ＣＰＵ１１は、インターフェイス回路１３を介して焦点検出指示を受信すると、周知の焦点検出処理を行ってレンズを光軸方向に進退駆動させてフィルム原稿にピント合わせを行う。なお、図１において、レンズのピント合わせ機構は省略されている。
【００１７】
操作者が自動露出演算ボタン「ＡＥ」をクリック操作すると、ホストコンピュータ２から画像読取部１に露出演算指示が送信される。ＣＰＵ１１は、インターフェイス回路１３を介して露出演算指示を受信すると、周知の露出演算処理を行ってラインセンサの電荷蓄積時間をなどを決定する。
【００１８】
操作者がプレビューボタン「ＰＲＥＶＩＥＷ」をクリック操作すると、ホストコンピュータ２から画像読取部１にプレビュー画像読取り指示が送信される。ＣＰＵ１１は、インターフェイス回路１３を介してプレビュー画像読取り指示を受信すると、原稿走査部駆動回路１６および照明駆動回路１４に指令を出力し、フィルム原稿の指定されたコマを粗読みさせる。ＣＰＵ１１はさらに、信号処理回路１５に指令を出力し、粗読みされた画像信号に対してプレビュー画像用の読取り条件（ここでは、各項目の初期値）にしたがって画像処理を行い、画像処理後の画像データをインターフェイス回路１３を介してホストコンピュータ２へ送信する。なお、画像読取部１は、画像処理前のプレビュー画像信号を、少なくとも次のプレビュー画像を読取るまでメモリ１２内に保持する。
【００１９】
一方、ホストコンピュータ２は、受信したプレビュー画像データをプレビューエリア２２内に表示する。図２は、プレビュー画像を表示したモニター２Ａの表示例である。
【００２０】
操作者がスキャンボタン「ＳＣＡＮ」をクリック操作すると、ホストコンピュータ２から画像読取部１に本画像読取り指示が送信される。本画像の読取りは、スキャンボタン「ＳＣＡＮ」をクリックする前に設定されている読取り条件で行われる。読取り条件の設定については後述する。ＣＰＵ１１は、本画像読取り指示を受信すると、原稿走査部駆動回路１６および照明駆動回路１４に指令を出力し、フィルム原稿の指定されたコマを読込ませる。ＣＰＵ１１はさらに、信号処理回路１５に指令を出力し、設定されている読取り条件を用いた画像処理を行わせる。画像処理後の画像データは、インターフェイス回路１３を介してホストコンピュータ２へ送信される。ホストコンピュータ２は、受信した画像データをプレビュー画像に代えてモニター２Ａに表示する。ホストコンピュータ２はさらに、受信した画像データに所定の登録名をつけてコンピュータ２内の不図示のデータストレージ装置に保存する。
【００２１】
本発明は、本画像の読取り前に行う読取り条件の設定に特徴を有し、以前設定した読取り条件を使用して画像読取りが行えるようにしたものである。
【００２２】
各読取り条件の設定操作について説明する。
▲１▼フィルム原稿の読取り範囲
操作者は、プレビューエリア２２内に表示されているプレビュー画像と異なる範囲の画像読込みをする場合に、操作部材２Ｂ（図１）をドラッグ操作して読取り範囲を選択（クロッピング）する。図３のプレビューエリア２２内には、プレビュー画像上でクロッピング操作によって選択された読取り範囲が示されている。
【００２３】
▲２▼読取り画像データの解像度
操作者は、画像データの解像度として、たとえば、１インチ当たりの画素数の値（単位ｄｐｉ）を、操作部材２Ｂから入力する。これにより、操作パレット２１内に読取り画像データの横方向画素数Ｘと、縦方向画素数Ｙとがｄｐｉ値に応じて表示される。図２および図３の例では、Ｘ＝３０００ドット、Ｙ＝４５００ドットである。
【００２４】
▲３▼読取り画像データのコントラスト
操作者は、ツールパレット４０内のコントラストの設定ツール４１に表示されているレバーを操作部材２Ｂのドラッグ操作により動かす。レバーが右方向に移動されるとコントラストが初期値より高く、レバーが左方向に移動されるとコントラストが初期値より低くされる。レバーが中央の位置に移動されると、コントラストが初期値に設定される。コントラストの初期値は、プレビュー画像用の読取り条件のコントラストの初期値と同じである。
【００２５】
▲４▼読取り後の画像データのカラーバランス
操作者は、ツールパレット４０内のカラーバランスの設定ツール４２に表示されているレバーを操作部材２Ｂのドラッグ操作により動かす。赤色レバー「Ｒ」が右方向に移動されると、赤色が初期値より強く、赤色レバー「Ｒ」が左方向に移動されると、赤色が初期値より弱くされる。赤色レバーが中央の位置に移動されると、赤色の強さが初期値に設定される。緑色レバー「Ｇ」、および青色レバー「Ｂ」についても同様である。カラーバランスの初期値は、プレビュー画像用の読取り条件のカラーバランスの初期値と同じである。
【００２６】
▲５▼読取り画像データのトーンカーブ
操作者は、ツールパレット４０内のトーンカーブの設定ツール４３に表示されている階調曲線を操作部材２Ｂのドラッグ操作により動かす。これにより、画像データの階調補正時の補正曲線が変更される。図３の設定ツール４３には、階調曲線の変更例が示されている。トーンカーブの初期値は、プレビュー画像用の読取り条件のトーンカーブの初期値と同じである。
【００２７】
−読取り条件の保存−
操作者は、読取り条件の設定操作を終了すると、設定履歴パレット３０内の「保存」ボタンをクリック操作する。ホストコンピュータ２は、上記クリック操作に対応して読取り条件の登録名を入力するための不図示のウィンドウをモニター２Ａに表示する。操作者が操作部材２Ｂから登録名を入力すると、ホストコンピュータ２は、画像読取部１に各読取り条件の設定情報、登録名および保存指示を送信する。ホストコンピュータ２は、読取り条件の設定情報、登録名ならびに保存指示を送信すると、設定履歴パレット３０内に変更履歴を表示する。なお、設定履歴パレット３０内に表示している変更履歴は、ホストコンピュータ２の不図示のメモリに保持されている。
【００２８】
図４は、履歴表示された設定履歴パレット３０の表示例を示す図である。パレット３０には、通常、初期値に対して変更操作が行われた項目のみが表示される。ホストコンピュータ２は、パレット３０に表示されている項目がクリック操作されると、このクリック操作に対応してクリックされた項目の設定情報をホストコンピュータ２のメモリから読出し、設定履歴パレット３０内に表示する。図５は、カラーバランスの設定情報の表示例を示す図である。
【００２９】
一方、画像読取り装置１のＣＰＵ１１は、読取り条件の設定情報、登録名および保存指示をホストコンピュータ２から受信すると、設定情報に対応して読取り条件を初期値から変更し、変更後の読取り条件の値を受信した登録名でメモリ１２に記憶する。ＣＰＵ１１はさらに、メモリ１２に記憶されている画像処理前のプレビュー画像信号に対し、読取り条件の初期値に対応する画像処理パラメータと、初期値から変更した読取り条件に対応する画像処理パラメータとを用いて２通りの画像処理を行うように信号処理回路１５に指令を送る。ＣＰＵ１１は、信号処理回路１５によって上記初期値により画像処理された画像「ＢＥＦＯＲＥ」と、上記変更後の値により画像処理された画像「ＡＦＴＥＲ」とを、上記登録名で記憶した読取り条件に関連づけて、メモリ１２にさらに記憶する。
【００３０】
この状態で操作者がスキャンボタン「ＳＣＡＮ」をクリック操作すると、新たに設定（保存）した読取り条件で本画像の読取が行われる。
【００３１】
−読取り条件の読込み−
操作者は、画像読み取装置１に保存した読取り条件を読出すとき、モニター２Ａ上の設定履歴パレット３０に表示されている「読込」ボタンをクリック操作する。ホストコンピュータ２は、上記クリック操作に応じて画像読取部１に設定履歴読込み指示を送信する。ＣＰＵ１１は、インターフェイス回路１３を介して設定履歴読込み指示を受信すると、メモリ１２に記憶されている全ての読取り条件の登録名および登録日時の情報を読出してホストコンピュータ２へ送信する。
【００３２】
ホストコンピュータ２は、登録名および登録日時の情報を受信すると、モニター２Ａに設定履歴読込みウィンドウを表示させる。図６は、設定履歴読込みウィンドウ５０の表示例を示す図である。図６において、履歴登録名と登録日時とが設定履歴読込みウィンドウ５０に表示されている。操作者が操作部材２Ｂを操作して任意の登録名上にカーソルを移動させると、ホストコンピュータ２は、カーソルで指定された登録名の読取り条件に関連づけられている画像「ＢＥＦＯＲＥ」および画像「ＡＦＴＥＲ」を、画像読取部１に要求する。
【００３３】
ＣＰＵ１１は、画像「ＢＥＦＯＲＥ」および画像「ＡＦＴＥＲ」の要求を受けると、メモリ１２から読出してホストコンピュータ２に送信する。ホストコンピュータ２は、画像「ＢＥＦＯＲＥ」および画像「ＡＦＴＥＲ」を受信すると、設定履歴読込みウィンドウ５０内にこれら２つの画像を表示する。同様に、操作者がカーソルを他の登録名上に移動させると、ホストコンピュータ２は、新たにカーソルで指定された登録名の読取り条件に関連づけられている画像「ＢＥＦＯＲＥ」および画像「ＡＦＴＥＲ」を画像読取部１から受け取って設定履歴読込みウィンドウ５０内にそれぞれ表示する。
【００３４】
操作者が操作部材２Ｂでリターンキーを操作すると、ホストコンピュータ２は、カーソルで指定された登録名の読取り条件を設定する指示を画像読取部１に送信する。ＣＰＵ１１は、設定指示を受信すると、該当する読取り条件に対応する画像処理パラメータを信号処理回路１５にセットする。ＣＰＵ１１はさらに、上記該当する読取り条件を示す情報をホストコンピュータ２に送信する。
【００３５】
ホストコンピュータ２は、読取り条件を示す情報を受信すると、初期値から変更されている項目をモニター２Ａの設定履歴パレット３０に表示する。上述したように、初期値に対して変更されている項目のみがパレット３０に表示される（図４）。
【００３６】
この状態で操作者がスキャンボタン「ＳＣＡＮ」をクリック操作すると、メモリ１２から読出された読取り条件で本画像の読取が行われる。
【００３７】
−保存内容の削除−
操作者は、パレット３０に表示されている項目を削除するとき、当該項目にカーソルを合わせて削除操作を行う。ホストコンピュータ２は、操作部材２Ｂで削除キーが操作されると、画像読取部１に登録名および当該項目の削除指示を送信する。ホストコンピュータ２は、登録名ならびに削除指示を送信すると、設定履歴パレット３０内の変更履歴から当該項目を削除する。なお、設定履歴パレット３０内に表示している変更履歴は、ホストコンピュータ２の不図示のメモリに保持されている。
【００３８】
一方、画像読取り装置１のＣＰＵ１１は、登録名および削除指示をホストコンピュータ２から受信すると、当該項目の読取り条件を初期値に戻し、変更後の値を当該登録名でメモリ１２に記憶（更新）する。ＣＰＵ１１はさらに、変更後の読取り条件に対応する画像処理パラメータを用いて画像処理を行うように信号処理回路１５に指令を送る。ＣＰＵ１１は、信号処理回路１５によって画像処理された画像でメモリ１２内の画像「ＡＦＴＥＲ」を更新する。
【００３９】
この状態で操作者がスキャンボタン「ＳＣＡＮ」をクリック操作すると、更新した読取り条件で本画像の読取が行われる。
【００４０】
以上説明した実施の形態によれば、次の作用効果が得られる。
（１）フィルム原稿の本読取り前に設定された読取り条件をメモリ１２に保存し、保存した条件を読出して本読取りの際に使用するようにした。この結果、原稿の読取りを行うたびに読取り条件を設定しなくてもよいので、設定操作の手間を省くことができる。とくに、設定項目が多いと設定操作時間が長くなるので、設定操作に要する時間を大幅に短縮することができる。
（２）読取り条件の初期値で得られた画像「ＢＥＦＯＲＥ」と、保存されている読取り条件で得られた画像「ＡＦＴＥＲ」とを当該読取り条件に関連づけて保存し、読取り条件を読出すとき、設定履歴読込みウィンドウ５０内に両画像を表示するようにした。これにより、操作者は、当該読取り条件でどのような画像が得られるか（たとえば、コントラスト、カラーバランス、トーンカーブ等）を本読込みする前に視覚的に確認することができる。
（３）読取り条件は、解像度、コントラスト、カラーバランス、トーンカーブなどの項目ごとに初期値と異なる値に変更して保存するようにする一方、保存した条件を項目ごとに削除できるようにした。削除した項目は、あらかじめ定められた初期値に設定される。これにより、新たに読取り条件を設定するとき、初期値と異なる値に変更したい項目だけを保存すればよく、読取り条件を元に戻したいとき、初期値に戻したい項目だけを削除すればよいので、操作が簡単で扱いやすい画像読取装置を得ることができる。
【００４１】
以上の説明では、読取り条件、画像「ＢＥＦＯＲＥ」および画像「ＡＦＴＥＲ」が画像読取部１のメモリ１２に保存するようにしたが、ホストコンピュータ２内に保存するようにしてもよい。
【００４２】
画像「ＢＥＦＯＲＥ」および画像「ＡＦＴＥＲ」は、プレビュー画像の画像サイズ（画素数）にしてもよいし、プレビュー画像サイズより小さなサムネイル画像サイズにしてもよい。サムネイル画像サイズにする場合は、画像処理の際に周知のリサイズ処理を施せばよい。
【００４３】
図６の設定履歴読込みウィンドウ５０において、設定履歴を日付順に表示する例を示したが、使用頻度順に表示させるようにしてもよい。この場合には、読取り条件が本画像の読取りに使用された回数をＣＰＵ１１がカウントしてメモリ１２に記憶する。ＣＰＵ１１は、ホストコンピュータ２から設定履歴読込み指示を受信すると、メモリ１２に記憶されている全ての読取り条件の登録名および登録日時の情報を読出し、使用頻度順にホストコンピュータ２へ送信する。
【００４４】
上述した説明では、原稿を１コマずつ読取る単コマスキャンを例に説明したが、複数コマを読取る連続コマスキャンに本発明を適用してもよい。連続スキャンの場合には、本スキャン開始前に読取り条件を設定し、複数のコマに対する読込みを同じ設定条件によって行う。
【００４５】
本実施の形態では、画像読取装置を画像読取部１およびホストコンピュータ２によって構成し、ホストコンピュータ２から操作するようにした。この代わりに、画像読取部１に操作部材およびモニタ表示用回路を設け、スタンドアローンタイプの画像読取装置として構成してもよい。この場合には、ホストコンピュータ２が不要になる。
【００４６】
以上の説明では、画像読取装置について説明したが、上記画像読取部１およびホストコンピュータ２による画像読取処理プログラムをそれぞれ用意し、これらのプログラムを画像読取部１やホストコンピュータ２などに取込んで画像読取装置として使用することができる。この場合には、画像読取部１のメモリ１２、パソコンなどのデータストレージ装置にそれぞれプログラムをローディングした上で実行させることにより、画像読取装置として使用することができる。なお、画像読取装置が上記スタンドアローンタイプの場合には、ホストコンピュータ２用のプログラムが不要になる。プログラムのローディングは、プログラムが格納された記録媒体をセットして行ってもよいし、ネットワークを経由する方法でもよい。
【００４７】
特許請求の範囲における各構成要素と、発明の実施の形態における各構成要素との対応について説明する。撮像素子は、たとえば、ラインセンサ１８によって構成される。画像処理は、たとえば、カラーバランス補正ならびに階調補正などが対応する。画像処理回路は、たとえば、信号処理回路１５によって構成される。画像信号出力回路、変更指示入力回路、および選択指示入力回路は、たとえば、インターフェイス回路１３によって構成される。記憶回路は、たとえば、メモリ１２によって構成される。制御回路は、たとえば、ＣＰＵ１１によって構成される。第１の画像は、たとえば、画像「ＡＦＴＥＲ」が対応する。第２の画像は、たとえば、画像「ＢＥＦＯＲＥ」が対応する。設定履歴パレット３０内に表示された各項目を同じ登録名でそれぞれ記憶することは、グループで記憶することに対応する。なお、本発明の特徴的な機能を損なわない限り、各構成要素は上記構成に限定されるものではない。
【００４８】
【発明の効果】
本発明によれば、画像読取り時に記憶した画像処理パラメータを用いて画像処理するようにしたので、画像処理パラメータをその都度設定する場合に比べて設定操作の手間を省くことができる。
【図面の簡単な説明】
【図１】本発明の一実施の形態による画像読取装置を説明するブロック図である。
【図２】モニターに表示される画面の例を示す図である。
【図３】モニターに表示される画面の例を示す図である。
【図４】設定履歴パレットの表示例を示す図である。
【図５】カラーバランスの設定情報の表示例を示す図である。
【図６】設定履歴読込みウィンドウの表示例を示す図である。
【符号の説明】
１…画像読取部、　　　　　　　　　２…ホストコンピュータ、
２Ａ…モニター、　　　　　　　　　２Ｂ…操作部材、
１１…ＣＰＵ、　　　　　　　　　　１２…メモリ、
１３…インターフェイス回路、　　　１４…照明駆動回路、
１５…信号処理回路、　　　　　　　１６…原稿走査部駆動回路
１８…ラインセンサ
【図１】
2004032168.tif 000003
【図２】
2004032168.tif 000004
【図３】
2004032168.tif 000005
【図４】
2004032168.tif 000006
【図５】
2004032168.tif 000007
【図６】
2004032168.tif 000008